(57)【要約】【課題】  情報機器の廃棄に際して、データの抹消に時間や手間をかけず、且つデータ漏洩が発生しないよう確実にデータの抹消を行える方法を提供する。【解決手段】  廃棄する一の情報機器３０に他の情報機器４０が接続された場合に一の情報機器３０が他の情報機器４０の外部記憶装置としてのみ取り扱えるようにする機能と、一の情報機器３０の記憶装置３５に記憶されているデータのうち、データの保存情報に削除済みである旨が記録されているデータおよびデータの保存情報に情報が記録されていない記憶領域を検索する機能と、検索した記憶領域に無効データを複数回書込む機能とを有するデータ抹消プログラムを、一の情報機器３０に実行させる。【選択図】        図１
2007133827.tif 000002
【特許請求の範囲】
【請求項１】
情報機器を廃棄する際に、該情報機器に設けられている書き換え可能な不揮発性の記憶装置内のデータを抹消するデータ抹消方法であって、
廃棄する一の情報機器に他の情報機器が接続された場合において、一の情報機器が他の情報機器の外部記憶装置としてのみ取り扱えるようにする機能と、
一の情報機器に設けられている記憶装置に記憶されているデータおよび記憶領域のうち、データの保存情報に削除済みである旨が記録されているデータおよびデータの保存情報に情報が記録されていない記憶領域を検索する機能と、
保存情報に削除済みである旨の記録があるデータの記憶領域およびデータの保存情報に情報が記録されていない記憶領域に、無効データを複数回書込む機能とを有するデータ抹消プログラムを、一の情報機器が実行することを特徴とするデータ抹消方法。
【請求項２】
前記データ抹消プログラムは、
ユーザが他の情報機器を操作することにより、一の情報機器に設けられている記憶装置に記憶されている全データについて保存情報に削除済みである旨の記録がされるかまたは保存情報内の情報が削除され、記憶装置内の全ての記憶領域に無効データを複数回書込んだ後、一の情報機器の電源を自動的にオフにする機能を有していることを特徴とする請求項１記載のデータ抹消方法。
【請求項３】
前記データ抹消プログラムは記録媒体に記憶されたＢＯＯＴプログラムであり、該記録媒体を一の情報機器の起動ディスクとして用いることで一の情報機器にデータ抹消プログラムを実行させることを特徴とする請求項１または請求項２記載のデータ抹消方法。
【請求項４】
前記保存情報はディレクトリエントリであり、前記削除済みである旨の記録はディレクトリエントリ中に無効フラグが立てられているものであり、前記保存情報に情報が記録されていない記憶領域はディレクトリエントリ中に何ら情報が記録されていない記憶領域であることを特徴とする請求項１〜請求項３のうちのいずれか１項記載のデータ抹消方法。
【請求項５】
情報機器を廃棄する際に、該情報機器に設けられている書き換え可能な不揮発性の記憶装置内のデータを抹消させるデータ抹消プログラムであって、
廃棄する一の情報機器に他の情報機器が接続された場合には、一の情報機器が他の情報機器の外部記憶装置としてのみ取り扱えるようにする機能と、
一の情報機器に設けられている記憶装置に記憶されているデータおよび記憶領域のうち、データの保存情報に削除済みである旨が記録されているデータおよびデータの保存情報に情報が記録されていない記憶領域を検索する機能と、
保存情報に削除済みである旨の記録があるデータの記憶領域およびデータの保存情報に情報が記録されていない記憶領域に、無効データを複数回書込む機能とを一の情報機器に実現させることを特徴とするデータ抹消プログラム。
【請求項６】
ユーザが他の情報機器を操作することにより、一の情報機器に設けられている記憶装置に記憶されている全データについて保存情報に削除済みである旨の記録がされるかまたは保存情報内の情報が削除され、記憶装置内の全ての記憶領域に無効データを書込んだ後、一の情報機器の電源を自動的にオフにする機能を有していることを特徴とする請求項５記載のデータ抹消プログラム。
【請求項７】
前記保存情報はディレクトリエントリであり、前記削除済みである旨の記録はディレクトリエントリ中に無効フラグが立てられているものであり、前記保存情報に情報が記録されていない記憶領域はディレクトリエントリ中に何ら情報が記録されていない記憶領域であることを特徴とする請求項５または請求項６記載のデータ抹消プログラム。
【発明の詳細な説明】
【技術分野】
【０００１】
本発明は、パーソナルコンピュータ等の情報機器を廃棄する際にハードディスク等の記憶装置に記憶されているデータの抹消方法およびデータの抹消プログラムに関する。
【背景技術】
【０００２】
パーソナルコンピュータ等の情報機器を廃棄する際、ハードディスク等の記憶装置に記憶されているデータの取り扱いが従来から問題となっている。すなわち、ハードディスクは不揮発性の記憶装置であり、廃棄時にユーザが積極的にデータの抹消をしないとデータの漏洩が発生してしまうためである。
【０００３】
記憶装置内のデータを抹消する方法として、記憶装置の記憶領域上に無効データを上書きする方法や、記憶装置を物理的に破壊する方法や、強力な磁場にさらす方法等がよく知られている。
しかし、単に無効データを上書きする方法ではディスク容量によって処理時間が非常に長くなってしまうという課題があった。
また、物理的に破壊する方法や強力な磁場にさらす方法では、情報機器を分解して筐体から記憶装置を取り出さなければならず手間がかかり作業者の負担が大きく、しかも記憶装置の再利用ができないという課題があった。
【０００４】
一方、情報機器の買換えの際に、廃棄する情報機器と買い求める情報機器との間（ユーザと販売業者との間）をデータ通信可能に接続し、データの移行やデータの消去を行なう方法が提案されている（例えば、特許文献１参照）。
これによれば、ユーザが新たな情報機器を買い求めると、新しい情報機器へのデータの移行を引き渡し前に予め実行しておくことができる。
【０００５】
また、ハードディスクのデータ消去時に、記録媒体からオペレーティングシステム（ＯＳ）を起動し、記録媒体に記録されている消去プログラムを実行してハードディスクの全セクタに無効データを書き込む方法も開示されている（例えば、特許文献２参照）。
【０００６】
【特許文献１】特開２００３−４４５６０号公報（００５９、図１１等）
【特許文献２】特開２００３−１６２４５０号公報（請求項１等）
【発明の開示】
【発明が解決しようとする課題】
【０００７】
特許文献１に開示されている方法では、ユーザが自らデータの抹消を行なっているものではないので、データ転送をした業者等からデータの漏洩が発生するおそれがあるという課題がある。
【０００８】
また、特許文献２に開示されている方法では、データの抹消については、結局ハードディスク上に単に無効データを上書きするだけであるので、ディスク容量に比例して処理時間が長時間にわたってしまう。またこのような処理は廃棄するハードディスクの利用を完全に停止してから行なう必要があったので、ユーザによるハードディスク内のデータの整理と無効データの上書き時間を合わせると、廃棄を決定してから実際に廃棄できるまでに非常に長い時間を必要としているという課題がある。
【０００９】
そこで、本発明の目的は、上記課題を解決すべくなされ、その目的とするところは、情報機器の廃棄に際して、データの抹消に時間や手間をかけず、且つデータ漏洩が発生しないよう確実にデータの抹消を行える方法を提供することにある。
【課題を解決するための手段】
【００１０】
本発明は上記目的を達成すべく、以下の構成を備える。
すなわち、本発明にかかるデータ抹消方法によれば、情報機器を廃棄する際に、該情報機器に設けられている書き換え可能な不揮発性の記憶装置内のデータを抹消するデータ抹消方法であって、廃棄する一の情報機器に他の情報機器が接続された場合において、一の情報機器が他の情報機器の外部記憶装置としてのみ取り扱えるようにする機能と、一の情報機器に設けられている記憶装置に記憶されているデータおよび記憶領域のうち、データの保存情報に削除済みである旨が記録されているデータおよびデータの保存情報に情報が記録されていない記憶領域を検索する機能と、保存情報に削除済みである旨の記録があるデータの記憶領域およびデータの保存情報に情報が記録されていない記憶領域に、無効データを複数回書込む機能とを有するデータ抹消プログラムを、一の情報機器が実行することを特徴としている。
【００１１】
この方法を採用することによる作用は以下の通りである。
まず、ユーザが廃棄する情報機器（特許請求の範囲では一の情報機器）と廃棄しない新しい情報機器（特許請求の範囲では他の情報機器）とを通信可能となるように接続する。
データ抹消プログラムが起動すると、データ抹消プログラムは、廃棄する情報機器は新しい情報機器の外部記憶装置としてのみ動作するように制御する。
そして、ユーザは新しい情報機器を操作し、今後も必要なデータについては廃棄する情報機器から新しい情報機器に移動させた後に元のデータを削除し、移動の必要も無く不要なデータはそのまま削除する。データの削除の結果、廃棄する情報機器内では、元のデータの保存情報（記憶装置内の所定領域にファイル名、記憶装置内のいずれの記憶領域に記録されているかの位置情報、ディレクトリ名、作成日時等が記録されている）に削除済みである旨の記録がされるか、またはデータの保存情報内の情報自体が削除される。
【００１２】
データ抹消プログラムは、保存情報に削除済みである旨の記録があるデータおよび保存情報に情報が記録されていない（保存情報内の情報が削除されている）記憶領域を検索して、検索した記憶領域に無効データを複数回書込みし、データを完全に抹消する。この方法では、この無効データの上書きと、ユーザのデータの削除動作が同時に実行できるため、全体としてデータの抹消にかかる時間の短縮が図れる。
さらに、無効データの書込みは、同一の記憶領域上を複数回行なうので、元のデータの残存磁気を完全に抹消することができ、より安全性の高いデータ抹消方法を提供できる。すなわち、無効データを1回だけ書込んだだけでは元のデータの磁気等が残存しており元のデータを読み出そうとすれば読み出されるおそれもあるためである。
【００１３】
また、前記データ抹消プログラムは、ユーザが他の情報機器を操作することにより、一の情報機器に設けられている記憶装置に記憶されている全データについて保存情報に削除済みである旨の記録がされるかまたは保存情報内の情報が削除され、記憶装置内の全ての記憶領域に無効データを複数回書込んだ後、一の情報機器の電源を自動的にオフにする機能を有していることを特徴としてもよい。
これによれば、少なくともデータが記憶されていた全領域において無効データを複数回書込みして全データが抹消された後は、廃棄する情報機器の電源を自動的にオフするので、ユーザは全データが完全に抹消されたことが認識でき、あとはユーザが廃棄する情報機器を単に廃棄すればよいだけとなり、ユーザの手間が大幅に省かれる。
【００１４】
また、前記抹消プログラムは記録媒体に記憶されたＢＯＯＴプログラムであり、該記録媒体を前記一の情報機器の起動ディスクとして用いることで前記一の情報機器に抹消プログラムを実行させることを特徴としてもよい。
この方法によれば、ユーザはこの記録媒体を廃棄する情報機器の起動ディスクとして用いられるドライブに装着して電源を投入するのみで抹消作業を実行させることができる。このため、抹消のためのプログラムを予めインストールするなどの手間が必要なく、容易にデータ抹消を実行することができる。
【００１５】
さらに、前記保存情報はディレクトリエントリであり、前記削除済みである旨の記録はディレクトリエントリ中に無効フラグが立てられているものであり、前記保存情報に情報が記録されていない記憶領域はディレクトリエントリ中に何ら情報が記録されていない記憶領域であることを特徴としてもよい。
【００１６】
本発明にかかるデータ抹消プログラムによれば、情報機器を廃棄する際に、該情報機器に設けられている書き換え可能な不揮発性の記憶装置内のデータを抹消させるデータ抹消プログラムであって、廃棄する一の情報機器に他の情報機器が接続された場合には、一の情報機器が他の情報機器の外部記憶装置としてのみ取り扱えるようにする機能と、一の情報機器に設けられている記憶装置に記憶されているデータおよび記憶領域のうち、データの保存情報に削除済みである旨が記録されているデータおよびデータの保存情報に情報が記録されていない記憶領域を検索する機能と、保存情報に削除済みである旨の記録があるデータの記憶領域およびデータの保存情報に情報が記録されていない記憶領域に、無効データを複数回書込む機能とを一の情報機器に実現させることを特徴としている。
また、ユーザが他の情報機器を操作することにより、一の情報機器に設けられている記憶装置に記憶されている全データについて保存情報に削除済みである旨の記録がされるかまたは保存情報内の情報が削除され、記憶装置内の全ての記憶領域に無効データを書込んだ後、一の情報機器の電源を自動的にオフにする機能を有していることを特徴としてもよい。
さらに、前記保存情報はディレクトリエントリであり、前記削除済みである旨の記録はディレクトリエントリ中に無効フラグが立てられているものであり、前記保存情報に情報が記録されていない記憶領域はディレクトリエントリ中に何ら情報が記録されていない記憶領域であることを特徴としてもよい。
【発明の効果】
【００１７】
本発明にかかるデータ抹消方法およびデータ抹消プログラムによれば、情報機器内の記憶装置のデータ抹消にかかる時間を全体として短くすることができ、またその際のユーザの手間を省くことができる。  
【発明を実施するための最良の形態】
【００１８】
以下、本発明の好適な実施の形態を添付図面に基づいて詳細に説明する。
図１は、廃棄すべき情報機器（旧装置）と新しい情報機器（新装置）とを接続したところを示すブロック図である。
旧装置３０は、通常のパーソナルコンピュータを想定しており、各プログラムを読み込んでプログラムに基づく動作を実行させるＣＰＵ３１、読み出し専用メモリであるＲＯＭ３２、揮発性メモリであるＲＡＭ３４、不揮発性の記憶装置であるハードディスク（ＨＤＤ）３５とを備えている。
【００１９】
また、旧装置３０には、起動ディスクドライブとして、ＣＤ−ＲＯＭドライブ３６が設けられている。
旧装置３０の各構成であるＣＰＵ３１、ＲＯＭ３２、ＲＡＭ３４、ハードディスク３５およびＣＤ−ＲＯＭドライブ３６は、内部バス３７を介して互いに接続されている。
なお、旧装置３０には、モニタ等の表示装置、マウスやキーボード等の入力装置が設けられていてもよいことは当然であるが、本発明を実行するに際しては特に必要がないので、省略して図示している。
【００２０】
また、新装置４０も通常のパーソナルコンピュータである。新装置４０についても、各プログラムを読み込んでプログラムに基づく動作を実行させるＣＰＵ４１、読み出し専用メモリであるＲＯＭ４２、揮発性メモリであるＲＡＭ４４、不揮発性の記憶装置であるハードディスク４５とを備えている。
また、新装置４０は、ユーザが操作するマウスやキーボード等の入力装置４６や、モニタである表示装置４８が設けられている。
新装置４０内のこれら各構成は、内部バス４７を介して互いに接続されている。
【００２１】
旧装置３０と新装置４０とは、通信可能に接続される。具体的には、ＵＳＢケーブルで接続する。接続は、ユーザが自ら行なうことを想定している。
ただし、旧装置３０と新装置４０との接続についてはＵＳＢ接続に限定されることはなく、他の規格によるケーブル接続、無線接続、赤外線による接続など通信可能であればどのような形態であってもよい。
【００２２】
次に、データ抹消プログラムの内容について説明する。
データ抹消プログラムは、コンピュータを起動できるＢＯＯＴプログラムであり、予めコンピュータ内に搭載されているオペレーティングシステム（ＯＳ）の種類とは無関係に起動し、自身が有する機能を実行可能である。
すなわち、データ抹消プログラムは、旧装置３０のＣＰＵ３１に読み込まれて、ＣＰＵ３１が実行することでその機能が実現される。
【００２３】
データ抹消プログラムは、ユーザが旧装置３０を新装置４０の外部記憶装置としてのみ利用できるように旧装置を制御する機能を有している。
具体的には、データ抹消プログラムは既存のＯＳによらずに起動し、ユーザは旧装置３０に設けられている入力装置（マウス、キーボード等）からの操作は不能となる。ユーザは新装置４０を操作することで、旧装置３０に記憶されているデータを新装置４０へ移動したり、削除することができる。また、データ抹消プログラムは、旧装置３０を新装置４０の外部記憶装置として、旧装置３０内のデータの読み出しと削除のみが可能となるように機能させる。このため、旧装置３０の空き容量は常に０であり、データの削除を行うたびに総容量が減っていくこととなる。
【００２４】
また、データ抹消プログラムは、旧装置３０のハードディスク３５内のデータの保存情報に削除済みである旨の記録がされているデータおよびデータの保存情報に情報が記録されていない記憶領域を検索する機能と、検索した削除済みデータの記憶領域および保存情報に情報が無い記憶領域に無効データを複数回上書きする機能とを有している。
つまり、ユーザがデータを削除すると、削除されたデータは単にユーザがそのデータを使用し得ない状態になるだけであり、ハードディスク３５内ではデータ自体は未だ存在し、保存情報であるディレクトリエントリのファイル名等に無効フラグが立てられたり、あるいはディレクトリエントリ内の情報が削除されたりするだけである。データ抹消プログラムは、このような無効フラグが立てられている削除済みのデータを検索して、このデータの記憶領域に無効データを複数回上書きすること、およびディレクトリエントリ内に何ら情報が記録されていない記憶領域を検索して、この記憶領域に無効データを複数回上書きすることで、ハードディスク３５に記憶されていたデータを完全に抹消できる。
【００２５】
さらに、データ抹消プログラムは、旧装置３０内のハードディスク３５のデータの全ての記憶領域について、無効データを複数回上書きした場合には、自動的に旧装置３０の電源をオフにする機能を有している。
【００２６】
次に、図２に基づいて、上述したようにデータ抹消プログラムを用いて行なう、データ抹消方法について詳細に説明する。
図２では左側欄がユーザが実行する動作であり、右側欄が旧装置の動作である。旧装置の動作は、記録媒体の一例としてのＣＤ−ＲＯＭに記録されたデータ抹消プログラムがＣＰＵ３１が読み込んで実行する。
【００２７】
まず、ユーザは旧装置３０と新装置４０とをＵＳＢケーブルによって接続する（ステップＳ１００）。
次に、ユーザは旧装置３０の起動ディスクドライブにデータ抹消プログラムが記録された記録媒体を装着する（ステップＳ１０２）。本実施形態では、具体的に、旧装置３０の起動ディスクドライブはＣＤ−ＲＯＭドライブ３６であり、データ抹消プログラムはＣＤ−ＲＯＭに記録されている。
【００２８】
次に、ユーザは旧装置３０の電源をオンにする（ステップＳ１０４）。
すると、旧装置３０内でＢＩＯＳ（Basic Input/Output System）が起動し、ＢＩＯＳが起動ディスクドライブを検索する。ＢＩＯＳは旧装置３０内の不揮発性のメモリであるＲＯＭ３２内に予め搭載されている、周辺機器を制御するためのプログラムである。起動ディスクドライブには、ＢＯＯＴプログラムであるデータ抹消プログラムが存在しているので、ＢＩＯＳはデータ抹消プログラムを起動させる（ステップＳ２００）。
【００２９】
データ抹消プログラムは、起動すると旧装置３０ではユーザが何ら操作出来ない状態となるように、ＣＰＵ３１に制御を実行させる。すなわち、ユーザから見ると、旧装置３０は新装置４０の単なる外部記憶装置となるように機能する（ステップＳ２０２）。
【００３０】
ユーザは、新装置４０の電源を入れ、通常のコンピュータとして用いるようにＯＳを立ち上げる（ステップＳ１０６）。なお、新装置４０の電源をオンにするのは、旧装置３０の電源をオンにした後でなくてもよく、例えば新装置４０がプラグオンプレイ機能を有している場合には、旧装置３０とＵＳＢ接続する前であってもよい。
【００３１】
新装置４０の電源をオンにし、旧装置３０を新装置４０の外部記憶装置として認識できるようになった後、ユーザは新装置４０の入力装置４６を用いて、旧装置３０内のデータでまだ必要なものを新装置４０内のハードディスク４５へ移動させたのち削除し、不必要なものについては移動せずにそのまま削除するように操作する（ステップＳ１０８）。
【００３２】
ユーザの動作により削除されたデータは、ファイルシステムの規則に従い、ディレクトリエントリのファイル名等に無効フラグが立てられたり、ディレクトリエントリ内の情報が削除されたりする（ステップＳ２０４）。
データ抹消プログラムは、ディレクトリエントリで無効フラグが立てられて削除済みと認識されるデータ、およびディレクトリエントリ内の情報が削除されて未使用と認識される記憶領域を検索して（ステップＳ２０６）、無効フラグが立てられているデータの記憶領域およびディレクトリエントリ内の情報が削除されて未使用と認識される記憶領域に無効データを複数回書き込む（ステップＳ２０８）。ここでいう無効データは、特に意味の無いデータであればどのようなものでもよい。
【００３３】
なお、データ抹消プログラムは、無効データの複数回書込みを済ませた記憶領域と、済ませていない記憶領域とを区別するために、無効データを複数回書き込んだ記憶領域については、ディレクトリエントリに使用禁止フラグを立てたり、または、その記憶領域の位置情報をデータ抹消プログラム内のメモリ領域に記憶する（ステップＳ２０９）。
【００３４】
続いて、データ抹消プログラムは、ハードディスク３５内の全てのデータ記憶領域について無効データの複数回の上書きが完了するまで、前のステップＳ２０９において区別した無効データを複数回書き込んでいない記憶領域を確認しつつ、無効フラグが立てられて削除済みと認識されるデータの記憶領域およびディレクトリエントリ内の情報が削除されて未使用と認識される記憶領域の検索と、無効データの複数回の書込み動作とを繰り返し行なう（ステップＳ２１０）。
データ抹消プログラムは、ハードディスク３５内の全てのデータ記憶領域について無効データの複数回の書込みが行なわれたことを認識した場合には、旧装置３０の電源を自動的にオフにするように制御する（ステップＳ２１２）。
【００３５】
これにより、ユーザは旧装置３０が廃棄可能の状態になったことを認識でき、ユーザは新装置４０との間のケーブルを取り外し、旧装置３０を廃棄する（ステップＳ１１０）。
【００３６】
なお、上述してきた実施形態では、データの保存情報としてディレクトリエントリ、削除済みである記録としてディレクトリエントリ内のファイル名等に無効フラグが立てられている場合およびディレクトリエントリ内の情報が削除されている場合について説明したが、ユーザが削除したことをデータ抹消プログラム側で認識することができればこれに限定するものではない。
【００３７】
また、上述してきた実施形態では、データ抹消プログラムは、ハードディスク３５の全記憶領域のデータ抹消終了後には自動的に旧装置３０の電源をオフにする機能を有しているものであった。しかし、データ抹消プログラムは、全記憶領域のデータを抹消した後に電源をオフにする機能を有していなくともよい。
たとえば、データ抹消プログラムは、全記憶領域のデータ抹消終了後そのままの状態を維持しているだけでもよい。すると、ユーザは新装置４０から旧装置３０を見てディスク容量が０になったことを確認できるので、これをもってユーザは旧装置３０を廃棄するタイミングとすることができる。
また、データ抹消プログラムは、全記憶領域のデータ抹消終了後に、新装置４０と旧装置３０との接続を切断してもよいし、新装置４０の表示装置４８に抹消完了の旨を表示させるようにしてもよい。
【００３８】
また、データ抹消プログラムを記憶しておく記録媒体としては、ＣＤ−ＲＯＭとして説明をしたが、記録媒体の種類についてもＣＤ−ＲＯＭに限定するものではなく、他の記録媒体であってもよい。
【００３９】
なお、データ抹消プログラムは、データの抹消をする記憶装置内に記憶させておき、この記憶装置内から起動させて最終的に自らが記憶されていた記憶領域にも無効データを複数回書き込んで電源をオフにすることもできる。
具体例としては、データ抹消プログラムをインターネット上に配置しておき、旧装置３０はデータ抹消プログラムをダウンロードしてハードディスク３５にインストールする。このインストール時に用いる自動セットアッププログラムはデータ抹消プログラムのインストールと、起動ディスクのＯＳ呼び出し部（ＢＯＯＴ領域）の書き換えを行う。この書き換えは、旧装置３０の電源を投入したときには、データ抹消プログラムのみが起動するように行われる。
このようにしても、本発明の方法を実現することができる。
【００４０】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４１】
【図１】本発明のデータ抹消方法を実行するための構成を説明するブロック図である。
【図２】データ抹消方法を説明する説明図である。
【符号の説明】
【００４２】
３０   旧装置
３１   ＣＰＵ
３２   ＲＯＭ
３４   ＲＡＭ
３５   ハードディスク
３６   ＣＤ−ＲＯＭドライブ
３７   内部バス
４０   新装置
４１   ＣＰＵ
４２   ＲＯＭ
４４   ＲＡＭ
４５   ハードディスク
４６   入力装置
４７   内部バス
４８   表示装置
【図１】
2007133827.tif 000003
【図２】
2007133827.tif 000004